(57)【要約】【課題】大画面ＴＶにてＥＰＧやメニューなどのＵＩ画面視認性を向上させた画像表示装置を提供する。【解決手段】入力した第一の画像信号に第二の画像信号を重畳して表示パネルに出力する手段と、ユーザーの遠隔操作の指示を受けて画像信号の表示を制御するための入力装置１２２とを備える画像表示装置において、ユーザーの位置又はユーザーの遠隔操作指示方向を特定するユーザー位置方向特定手段と、特定したユーザーの位置又はユーザーの遠隔操作指示方向に対応した、第二の画像の画面上の表示位置を算出する表示位置算出手段と、算出表示位置に第二の画像の表示位置を変移させる表示位置算出変移手段とを有する。第二の画像が電子番組ガイド、メニュー画面又は番組報知情報である。【選択図】図１
2008160240.tif 000002
【特許請求の範囲】
【請求項１】
入力した第一の画像信号に第二の画像信号を重畳して表示パネルに出力する手段と、ユーザーの遠隔操作の指示を受けて画像信号の表示を制御するための入力装置とを備える画像表示装置において、
ユーザーの位置又はユーザーの遠隔操作指示方向を特定するユーザー位置方向特定手段と、特定したユーザーの位置又はユーザーの遠隔操作指示方向に対応した、前記第二の画像の画面上の表示位置を算出する表示位置算出手段と、算出表示位置に前記第二の画像の表示位置を変移させる表示位置算出変移手段とを有することを特徴とする画像表示装置。
【請求項２】
前記第一の画像信号は、画像表示装置の外部又は内部の少なくともいずれか一方から取得した画像信号であり、
前記第二の画像信号は、画像表示装置の内部から取得した画像信号である請求項１記載の画像表示装置。
【請求項３】
前記第二の画像が電子番組ガイド、メニュー画面又は番組報知情報の少なくとも一つである請求項１又は２に記載の画像表示装置。
【請求項４】
前記第二の画像信号が電子番組ガイドの数字、文字或いは記号等のキャラクタ信号、アイコン表示、図形表示等のグラフィック・ユーザー・インターフェイス画像の信号である請求項１又は２に記載の画像表示装置。
【請求項５】
リモコン送信機からの指示を受けて前記第二の画像の表示位置を変移させる表示位置指示変移手段を有する請求項１〜４のいずれか１項に記載の画像表示装置。
【請求項６】
表示画像のサイズを変更する手段と、特定したユーザーの位置に対応した、前記第二の画像の画面上の表示画像のサイズを算出する表示サイズ算出手段とを有し、特定したユーザーの位置に応じて、前記第二の画像の画面上の表示画像のサイズを変更する請求項１〜５のいずれか１項に記載の画像表示装置。
【請求項７】
表示画像の輝度を変更する手段と、特定したユーザーの遠隔操作指示方向に対応した、前記第二の画像の画面上の表示画像の輝度を算出する表示輝度算出手段とを有し、特定したユーザーの遠隔操作指示方向に応じて、前記第二の画像の画面上の表示画像の輝度を変更する請求項１〜５のいずれか１項に記載の画像表示装置。
【請求項８】
表示画像の色彩又は背景色を変更する手段を有し、ユーザーの遠隔操作の指示による、画像表示範囲指定部分における前記第二の画像の表示画像の色彩又は背景色を変更する請求項１記載の画像表示装置。
【発明の詳細な説明】
【技術分野】
【０００１】
本発明は、画像表示装置に関し、特に大画面ＴＶにてＥＰＧ（電子番組ガイド）やメニューなどのＵＩ（ユーザーインターフェイス）画面視認性を向上される表示方法に関する。
【背景技術】
【０００２】
液晶ＴＶなどのＦＰＤ（平面パネル表示装置）は、近年急速に大画面化が進んでいる。大画面化が進むにつれてＥＰＧ等のＵＩ画面も大型化していくものと思われる。画面自体は大型化が進んだとしても、実際に視聴／操作する場合には、ＴＶの間近にて視聴／操作する場合も少なからずある。
【０００３】
従来、ＥＰＧの操作性／視認性を向上させるためのアイデアとしていくつかの技術が提案されている。たとえは特許文献１では、タッチパネルを利用してＥＰＧをスクロールさせることによりＥＰＧの操作性の向上を行なおうとしている。しかし、この技術は比較的小さな画面での操作を対象としており、今日の大画面化が進む液晶テレビでは比較的不向きである。
【０００４】
近年の大型ＦＰＤでは４０インチ台があたりまえとなり、中には６０インチ以上のものも存在する。これらの大画面ＦＰＤでメニューやＥＰＧを画面いっぱいに表示した場合（図２ａ参照）、タッチパネルでの操作は無理があるのと同時に、ユーザーは視点を幅広く移動させなければならないため、非常に操作性／視認性の悪いものとなってしまう。
【特許文献１】特開２００４−１５３６５１号公報
【発明の開示】
【発明が解決しようとする課題】
【０００５】
本発明は、大画面ＴＶにてＥＰＧやメニューなどのＵＩ画面視認性を向上させた画像表示装置を提供することを目的とする。
【課題を解決するための手段】
【０００６】
本発明は、入力した第一の画像信号に第二の画像信号を重畳して表示パネルに出力する手段と、ユーザーの遠隔操作の指示を受けて画像信号の表示を制御するための入力装置とを備える画像表示装置において、ユーザーの位置又はユーザーの遠隔操作指示方向を特定するユーザー位置方向特定手段と、特定したユーザーの位置又はユーザーの遠隔操作指示方向に対応した、前記第二の画像の画面上の表示位置を算出する表示位置算出手段と、算出表示位置に前記第二の画像の表示位置を変移させる表示位置算出変移手段とを有する画像表示装置である。
【０００７】
また、本発明は、前記第一の画像信号は、画像表示装置の外部又は内部の少なくともいずれか一方から取得した画像信号であり、前記第二の画像信号は、画像表示装置の内部から取得した画像信号である画像表示装置である。
【０００８】
そして、本発明は、前記第二の画像が電子番組ガイド、メニュー画面又は番組報知情報の少なくとも一つである画像表示装置である。
【０００９】
更に、本発明は、前記第二の画像信号が電子番組ガイドの数字、文字或いは記号等のキャラクタ信号、アイコン表示、図形表示等のグラフィック・ユーザー・インターフェイス（ＧＵＩ）画像の信号である画像表示装置である。
【００１０】
また、本発明は、リモコン送信機からの指示を受けて前記第二の画像の表示位置を変移させる表示位置指示変移手段を有する画像表示装置である。
【００１１】
そして、本発明は、表示画像のサイズを変更する手段と、特定したユーザーの位置に対応した、前記第二の画像の画面上の表示画像のサイズを算出する表示サイズ算出手段とを有し、特定したユーザーの位置に応じて、前記第二の画像の画面上の表示画像のサイズを変更する画像表示装置である。
【００１２】
更に、本発明は、表示画像の輝度を変更する手段と、特定したユーザーの遠隔操作指示方向に対応した、前記第二の画像の画面上の表示画像の輝度を算出する表示輝度算出手段とを有し、特定したユーザーの遠隔操作指示方向に応じて、前記第二の画像の画面上の表示画像の輝度を変更する画像表示装置である。
【００１３】
また、本発明は、表示画像の色彩又は背景色を変更する手段を有し、ユーザーの遠隔操作の指示による、画像表示範囲指定部分における前記第二の画像の表示画像の色彩又は背景色を変更する画像表示装置である。
【発明の効果】
【００１４】
本発明によれば、大画面ＴＶにおいても操作しやすい、適切なサイズのＵＩ画面を適切な位置に表示できるため、視認性、操作性に優れたメニューを提供することが可能になる。
【発明を実施するための最良の形態】
【００１５】
本発明を実施するための最良の形態を説明する。
本発明の画像表示装置の実施例について、図面を用いて説明する。
【００１６】
実施例を説明する。本実施例の画像表示装置は、図１に示すように、アナログ・デジタル放送受信機１００であり、アンテナ１０１から入力されたアナログ放送信号を抽出するアナログチューナー部１０３、入力端子１０２から入力されたデジタル放送信号を抽出するデジタルチューナー部１０４、アナログ放送信号から映像信号と音声信号を分離するＡＶスイッチ部１０５、デジタル放送信号を復調するデジタル復調部１０６、映像信号、電子番組ガイド（ＥＰＧ）信号等、音声信号を分離する分離部１０７、デジタル映像信号をデコードするビデオデコード／キャプチャ部１０８、アナログ又はデジタルの映像信号を選択するビデオセレクタ部１０９、電子番組ガイド作成処理、オンスクリーンディスプレイ（ＯＳＤ）処理、予約処理を行うＥＰＧ／ＯＳＤ／予約処理部１１０、デジタル音声信号をデコードするオーディオデコード部１１１、アナログ映像信号又は映像信号とＥＰＧ情報、ＯＳＤ情報、予約情報を一体化したデジタル映像信号を液晶表示装置に出力するビデオ出力変換部１１２、アナログ又はデジタルの音声信号を選択するオーディオセレクタ部１１３、アナログ音響信号又はデジタル音響信号をスピーカに出力するオーディオ出力変換部１１４、アナログ放送またはデジタル放送を選局する選局部１１５を有しており、液晶表示装置に映像信号を出力し、スピーカに音声信号を出力する。
【００１７】
分離部１０７、ビデオデコード／キャプチャ部１０８、ＥＰＧ／ＯＳＤ／予約処理部１１０、オーディオデコード部１１１、選局部１１５、ＲＡＭ１１６、ＣＰＵ１１７、出力端子１１８に接続したビデオマウスマイコン１１９、不揮発性メモリ１２０、接続した電話回線やＬＡＮとの通信を制御する通信制御部１２１、赤外線等を使用したリモコン送信機（以下単にリモコンとも言う。）２００からのユーザー操作指示を受信するリモコン受光部１２２は、接続したバスを介し、データの送受信を行う。
【００１８】
本実施例のアナログ・デジタル放送受信機１００は、入力した第一の画像信号（主画像信号）に第二の画像信号（副画像信号）を重畳して表示パネルに表示する手段と、ユーザーの遠隔操作（リモコン送信機）の指示を受けて画像信号の表示を制御するための入力装置と、ユーザーの位置又はユーザーの遠隔操作指示方向を特定するユーザー位置方向特定手段と、特定したユーザーの位置又はユーザーの遠隔操作指示方向に対応した、前記第二の画像の画面上の表示位置を算出する表示位置算出手段と、算出表示位置に前記第二の画像の表示位置を変移させる表示位置算出変移手段を有している。第一の画像信号により、表示パネルに同期信号を用いて画像を映すことができ、その第一の画像信号を利用し、それと同期を取って、第二の画像信号を重畳することができる。第二の画像は、電子番組ガイド、メニュー画面又は番組報知情報の一つ又は複数同時とすることができる。番組報知情報とは、放送媒体の種別（地上／ＢＳ／ＤＳ等）・チャンネル番号・音声モード（モノラル／ステレオ／二重）・入力ソース（外部入力１、２等）・音量バー等を意味する。また、第二の画像信号は、電子番組ガイドの数字、文字或いは記号等のキャラクタ信号、アイコン表示、図形表示等のグラフィック・ユーザー・インターフェイス画像の信号とすることができる。
【００１９】
本実施例において、第一の画像信号は、画像表示装置の外部又は内部の少なくともいずれか一方から取得した画像信号であり、第二の画像信号は、画像表示装置の内部から取得した画像信号である。第一の画像信号を画像表示装置の外部から取得するとは、例えばアンテナや外付けのＣＡＴＶチューナ、インターネット通信端子、外部接続の記録再生装置（ＤＶＤ、ＨＤＤ、ＰＣ等）からの画像信号である。また、第一の画像信号を画像表示装置の内部から取得するとは、例えば画像表示装置本体に内蔵する記録再生装置（ＤＶＤ、ＨＤＤ、メモリーカード等）の画像を再生した画像信号であったり、ブルーバック（青一色画面で、装置内部で発生する）の画像信号である。表示パネルに何らかの画像を表示（同期を取って画像を止める）しようとすると、まず同期信号を伴う、ベースとなる信号（主信号）が必須となる。そして、第二の画像信号を画像表示装置の内部から取得とは、いわゆるＧＵＩ信号（電子番組ガイド、調整用メニュー画面又はチャンネル番号等）を意味し、装置内部で作成し、第一の画像信号に重畳して情報を追加表示する信号である。
【００２０】
また、本実施例のアナログ・デジタル放送受信機１００は、リモコン送信機からの指示を受けて前記第二の画像の表示位置を変移させる表示位置指示変移手段と、表示画像のサイズを変更する手段と、特定したユーザーの位置に対応した、前記第二の画像の画面上の表示画像のサイズを算出する表示サイズ算出手段と、表示画像の輝度を変更する手段と、特定したユーザーの遠隔操作指示方向に対応した、前記第二の画像の画面上の表示画像の輝度を算出する表示輝度算出手段と、表示画像の色彩又は背景色を変更する手段を有することができる。これらの手段は、一部を除き、不揮発性メモリ１２０に格納したプログラムを使用することによりＣＰＵ１１７で実行される。
【００２１】
本実施例のアナログ・デジタル放送受信機１００は、リモコンの位置又はリモコンからの指示信号の受信方向を特定し、リモコンの位置又はリモコンからの指示信号受信方向に対応した、画面上の表示位置を算出し、算出表示位置に画像の表示位置を変移させるができるため、小さなＥＰＧやメニュー画面、チャンネル番号等を表示する際に、ＴＶ側でリモコン２００の位置又は方向を検出しその方向にＥＰＧやメニュー画面、チャンネル番号等を表示することができる（図３ａ、ｂ参照）。また、リモコンを操作するユーザーの位置を検出し、小さなメニュー画面、チャンネル番号等をユーザーの居る方向に表示することで視認性、操作性を向上させることができる。
【００２２】
リモコンの位置又はリモコンからの指示信号の受信方向を特定するためには、例えば画像表示装置に複数個の対人位置検出赤外線センサーを設け、どの領域にリモコンを操作する人間がいるかを検出することにより可能となる。また、画像表示装置のスピーカから出射した音波信号をリモコン信号受信部が受信し、その強度を音波検出信号として返信したものを画像表示装置が受信し、スピーカの向きを変化させて最大感度でリモコン信号受信部が受信した方向で、リモコンの位置を特定することができる。あるいは、リモコンからの赤外線の入射角を測定することにより、実現できる。
【００２３】
リモコンからの指示を受けて画像の表示位置を変移させる表示位置指示変移手段により、ＥＰＧやメニュー画面、チャンネル番号等の位置をユーザーが自由に移動でき、自由に見やすい位置に移動できる。
【００２４】
表示画像のサイズを変更する手段と、特定したリモコンの位置に対応した、画面上の表示画像のサイズを算出する表示サイズ算出手段とにより、特定したリモコンの位置に応じて画面上の表示画像のサイズを変更することができる。大画面ＴＶにおいて、ＥＰＧやメニュー画面等を表示する際に、ユーザーがそのサイズ変更できるようにするのが好ましい。また、比較的近くで操作する場合にはＥＰＧやメニュー画面等を小さくした方が視認性、操作性が良い。
【００２５】
表示画像の輝度を変更する手段と、特定したリモコンの指示信号受信方向に対応した、画面上の表示画像の輝度を算出する表示輝度算出手段とにより、特定したリモコンからの指示信号受信方向に応じて画面上の表示画像の輝度を変更することができる。
【００２６】
表示画像の色彩又は背景色を変更する手段により、ユーザーのリモコン操作による画像表示範囲指定部分の表示画像の色彩又は背景色を変更することができる。
【００２７】
一般に、液晶ＴＶやＰＤＰ（プラズマ表示パネル）等のＦＰＤＴＶは従来のＣＲＴに比較して視野角が狭い傾向にあり、比較的広いものでも１７６度程度であるため、例えばリモコン（又は操作者の視聴位置）からの赤外光（無線、音波を含む）の入射角度を判断して、入射角が大きい程、斜めから見てユーザーインターフェイス画像を見え易くするために、（１）ＥＰＧ／メニュー画面、チャンネル番号等の表示画像の輝度レベルを背景映像（一般の視聴映像）の輝度レベルより高くして表示する、（２）ＥＰＧ／メニュー画面表示等の表示画像の中からユーザーが選択した部分（番組表やメニュー項目等でフォーカスを当てた部分）の、例えば文字の色を変える、背景色を変える、表示する文字の外郭部分を濃くして表示する、（３）ユーザーインターフェイス画像を表示するときは、液晶ＴＶのバックライトを少し下げて（暗くして）表示し、ＥＰＧ／メニュー画面、チャンネル番号等の表示画像の輝度はそのままの輝度で表示することで、ＥＰＧ／メニュー画面、チャンネル番号等を見易くする。
【００２８】
以上実施例を説明したが、リモコン２００を双方向リモコンとして、小さく表示したＥＰＧ／メニュー画面表示等の画像や部分画像をＴＶ側からリモコン側にデータ送信して、リモコンのディスプレイに表示しても良い。
【図面の簡単な説明】
【００２９】
【図１】実施例の画像表示装置の説明図。
【図２】実施例及び従来例の画像表示装置におけるメニューの表示方法の説明図。
【図３】実施例の画像表示装置におけるリモコンのある方向にメニューを表示する例の説明図。
【符号の説明】
【００３０】
１００：アナログ・デジタル放送受信機、１０１：アンテナ、１０２：入力端子、１０３：アナログチューナー部、１０４：デジタルチューナー部、１０５：ＡＶスイッチ部、１０６：デジタル復調部、１０７：分離部、１０８：ビデオデコード／キャプチャ部、１０９：ビデオセレクタ部、１１０：ＥＰＧ／ＯＳＤ／予約処理部、１１１：オーディオデコード部、１１２：ビデオ出力変換部、１１３：オーディオセレクタ部、１１４：オーディオ出力変換部、１１５：選局部、１１６：ＲＡＭ、１１７：ＣＰＵ、１１８：出力端子、１１９：ビデオマウスマイコン、１２０：不揮発性メモリ、１２１：通信制御部、１２２リモコン受光部、２００：リモコン送信機
【図１】
2008160240.tif 000003
【図２】
2008160240.tif 000004
【図３】
2008160240.tif 000005